(57)【要約】
【課題】健康増進に役立つ周辺雰囲気を創成する。
【解決手段】下地材１１と、中材１２と、上材１３とを順に積層し、中材１２には、接着剤を介し、竹炭を原料とするセラミックパウダを塗り込める。
　中材１２に担持されているセラミックパウダは、健康増進に役立つマイナスイオンを放出する。
【選択図】図１
0003099955.tif 000002
【実用新案登録請求の範囲】
【請求項１】
　下地材と、該下地材に重ねる上材とを積層してなり、前記下地材、上材の間には、接着剤を介し、竹炭を原料とするセラミックパウダを塗り込めることを特徴とする積層構造物。
【請求項２】
　前記セラミックパウダは、前記下地材、上材の間に介装する布状の中材に塗り込めることを特徴とする請求項１記載の積層構造物。
【請求項３】
　前記中材は、寒冷紗とすることを特徴とする請求項２記載の積層構造物。
【請求項４】
　前記下地材は、木材、プラスチック材、紙材のいずれかとすることを特徴とする請求項１ないし請求項３のいずれか記載の積層構造物。
【請求項５】
　前記上材は、前記接着剤を介して接着する木材、プラスチック材、紙材のいずれかとすることを特徴とする請求項１ないし請求項４のいずれか記載の積層構造物。
【請求項６】
　前記上材は、固化した後の前記接着剤上に塗布する漆塗料、ウレタン塗料のいずれかであることを特徴とする請求項１ないし請求項４のいずれか記載の積層構造物。
【考案の詳細な説明】
【技術分野】
【０００１】
　この考案は、家庭生活用品などに広く適用することができる積層構造物に関する。
【背景技術】
【０００２】
　マイナスイオンが健康増進に役立つことが知られている。
【０００３】
　たとえば、大形の滝（瀑布）の近くでは、空気中に多量のマイナスイオンが含まれるため、気分が爽快になるばかりでなく、周辺住民の健康にも役立っているといわれている。
【考案の開示】
【考案が解決しようとする課題】
【０００４】
　しかし、マイナスイオンの健康増進効果を手軽に家庭内で享受することは、必ずしも容易ではない。
【０００５】
　そこで、この考案の目的は、かかる従来技術の実情に鑑み、竹炭を原料とするセラミックパウダを利用することによって、さまざまな家庭生活用品などに広く適用することができる積層構造物を提供することにある。
【課題を解決するための手段】
【０００６】
　かかる目的を達成するためのこの考案の構成は、下地材と、下地材に重ねる上材とを積層してなり、下地材、上材の間には、接着剤を介し、竹炭を原料とするセラミックパウダを塗り込めることをその要旨とする。ただし、ここでいう「接着剤」は、一般的な接着剤や糊材の他、油性絵具、漆などのように、固化して接着力を発揮するもの全般を含むものとする。
【０００７】
　なお、セラミックパウダは、下地材、上材の間に介装する布状の中材に塗り込めてもよく、中材は、寒冷紗としてもよい。
【０００８】
　また、下地材は、木材、プラスチック材、紙材のいずれかとすることができる。
【０００９】
　なお、上材は、接着剤を介して接着する木材、プラスチック材、紙材のいずれかとし、または、固化した後の接着剤上に塗布する漆塗料、ウレタン塗料のいずれかとしてもよい。
【考案の効果】
【００１０】
　かかる考案の構成によるときは、竹炭を原料とするセラミックパウダは、マイナスイオンを放出するので、健康増進に役立つ周辺雰囲気を創成することができる。なお、ここでいう「セラミックパウダ」とは、竹炭を大むね１８００℃程度の高温で焼成してセラミック化し、粉砕してパウダ化したものであって、大量のマイナスイオンを発生することが確かめられている。
【００１１】
　セラミックパウダを布状の中材に塗り込めば、中材は、一層多くのセラミックパウダを担持することができる上、全体の強度を向上させることができる。なお、中材は、寒冷紗を含む織物や、不織布を使用することができ、セラミックパウダを塗り込める接着剤を介し、下地材に一体に接着するものとする。また、寒冷紗は、接着剤の過大な浸透がなく、セラミックパウダを塗り込めて担持させるために特に好適である。
【００１２】
　下地材は、用途により、木材、プラスチック材、紙材のいずれかを使用することができる。すなわち、木材やプラスチック材は、たとえば椀や鉢、重箱、弁当箱、花瓶などの器物類の材料として好適であり、紙材は、壁紙、天井紙などのシート材として好適であり、特に和紙は、光を透過するため、照明器具のシェードなどとして好適に使用可能である。また、木材やプラスチック材は、薄いシート状にすることにより、大小の敷物などとしても使用することができる。
【００１３】
　上材も、用途により、木材、プラスチック材の他、和紙を含む紙材のいずれかが使用可能である。なお、このときの上材も、セラミックパウダを塗り込める接着剤を介し、下地材または中材に一体に接着するものとする。
【００１４】
　また、上材は、セラミックパウダを塗り込める接着剤が固化した後、漆塗料、ウレタン塗料のいずれかを塗布して形成してもよい。これらの塗料は、人体に無害である上、任意の色彩が得られるから、食器などに適用するとき、特に好適である。
【考案を実施するための最良の形態】
【００１５】
　以下、図面を以って考案の実施の形態を説明する。
【００１６】
　積層構造物は、下地材１１、布状の中材１２、上材１３をこの順に積層してなる（図１）。
【００１７】
　下地材１１は、木材、プラスチック材、紙材のいずれかであって、薄いシート状になっている。下地材１１は、可撓性であってもよく、可撓性でなくてもよい。中材１２は、たとえば寒冷紗であって、中材１２には、図示しない接着剤を介し、竹炭を原料とするセラミックパウダが塗り込められて担持されている。なお、中材１２は、セラミックパウダを塗り込める接着剤を介して下地材１１に接着されている。上材１３は、木材、プラスチック材、紙材のいずれかであって、薄いシート状になっている。上材１３は、セラミックパウダを中材１２に塗り込める接着剤を介し、中材１２に接着されている。
【００１８】
　かかる積層構造物は、全体として薄いシート状であるから、適宜の大きさ、形状に裁断することにより、壁紙、天井紙、敷物、照明器具のシェード、団扇、扇子などのさまざまな家庭生活用品を作ることができる。ただし、下地材１１、上材１３は、用途により、それぞれの材質を適切に選定するものとする。積層構造物は、中材１２に担持されているセラミックパウダからマイナスイオンが放出されるため、健康増進に役立つ周辺雰囲気を創成することができる。
【００１９】
　積層構造物は、木材またはプラスチック材からなる椀形の下地材１１を使用し、漆塗料またはウレタン塗料からなる上材１３を使用することにより（図２）、漆器としての椀に適用することができる。ただし、図２において、セラミックパウダを塗り込める中材１２は、下地材１１の底部内面に付設されており、上材１３は、セラミックパウダを中材１２に塗り込める接着剤が固化した後、下地材１１の内部全面に塗布されている。
【００２０】
　なお、図２において、下地材１１は、用途により任意の形状に変形し、鉢、皿、重箱、弁当箱、花瓶などの器物類に適用することができる。そのとき、セラミックパウダを塗り込める中材１２は、器物類の内面の一部または全部に装着することができる。セラミックパウダからのマイナスイオンは、器物類に収納する生物の腐敗を遅らせ、健康増進に役立つ。
【００２１】
　以上の説明において、図１の積層構造物は、図２に倣って、上材１３を漆塗料またはウレタン塗料としてもよい。また、図１、図２において、下地材１１、上材１３の間に介装する中材１２は、これを省略してもよく、このときのセラミックパウダは、接着剤を介し、下地材１１、上材１３の間に塗り込めるものとする。
【図面の簡単な説明】
【００２２】
【図１】要部拡大断面図
【図２】全体縦断面図
【符号の説明】
【００２３】
　１１…下地材
　１２…中材
　１３…上材
　　　　　　　　　　　　　　　　　　　　　実用新案登録出願人　　　荒　谷　龍　造
　　　　　　　　　　　　　　　　　　　　　代理人　弁理士　　　　　松　田　忠　秋
【図１】
0003099955.tif 000003
【図２】
0003099955.tif 000004